(57)【要約】【課題】弾球遊技機において成形部材を汎用的に用いて遊技球の流路を形成する。【解決手段】弾球遊技機は、遊技球が流下する盤面を形成する遊技盤と；盤面に固定され、盤面より前方に突出し、盤面を流下する遊技球の流路を形成する流路構造とを備える。この弾球遊技機において、流路構造は、盤面に直行する２つ以上の平面を形成する凸部をそれぞれ有する複数の流路部材を、一連に組み合わせることによって構成され、流路構造によって形成される流路の長さは、流路構造を構成する流路部材の個数に応じて変更可能である。【選択図】図４
2019092583.tif 000002
【特許請求の範囲】
【請求項１】
遊技球が流下する盤面を形成する遊技盤と、
前記盤面に固定され、前記盤面より前方に突出し、前記盤面を流下する遊技球の流路を形成する流路構造と
を備える弾球遊技機であって、
前記流路構造は、前記盤面に直行する２つ以上の平面を形成する凸部をそれぞれ有する複数の流路部材を、一連に組み合わせることによって構成され、
前記流路構造によって形成される流路の長さは、前記流路構造を構成する前記流路部材の個数に応じて変更可能である、ことを特徴とする弾球遊技機。
【請求項２】
請求項１に記載の弾球遊技機であって、
前記複数の流路部材は、
前記流路の端部を形成する第１の流路部材と、
前記流路における他の流路部材に挟まれた中間部を形成する第２の流路部材と
を含み、
前記流路構造によって形成される流路の長さは、前記流路構造を構成する前記第２の流路部材の個数に応じて変更可能である、ことを特徴とする弾球遊技機。
【請求項３】
請求項１または請求項２に記載の弾球遊技機であって、
前記複数の流路部材は、前記流路構造において隣接する他の流路部材と相互に連結しており、
前記流路構造は、前記複数の流路部材における一部の流路部材を介して前記盤面に固定されている、ことを特徴とする弾球遊技機。
【請求項４】
更に、前記盤面における前記流路構造から離れた位置に固定され、前記流路構造を構成する前記複数の流路部材の１つと同じ形状を成す単体の流路部材を備えることを特徴とする請求項１から請求項３までのいずれか一項に記載の弾球遊技機。
【請求項５】
請求項１から請求項４までのいずれか一項に記載の弾球遊技機であって、
前記複数の流路部材の少なくとも１つは、前記盤面と直行する５つ以上の平面を形成する凸部を有し、
前記５つ以上の平面は、相互に異なる大きさである、ことを特徴とする弾球遊技機。
【発明の詳細な説明】
【技術分野】
【０００１】
本明細書は、弾球遊技機（パチンコ遊技機、パチンコ機とも呼ばれる。）に関する技術を開示する。
【背景技術】
【０００２】
弾球遊技機は、遊技球が流下する盤面を形成する遊技盤を備える。盤面において遊技球を誘導する部材として、遊技釘が一般的に利用されている。遊技釘は、遊技球の流路を汎用的に形成できる利点を有する一方、遊技球から受ける衝撃によって変形する虞がある。
【０００３】
特許文献１には、始動口の上流に位置する遊技釘（いわゆる「命釘」）に代えて、盤面より前方に突出した成形部材を始動口の上流に設けた弾球遊技機について開示されている。
【先行技術文献】
【特許文献】
【０００４】
【特許文献１】特開２００８−８６５１７号公報
【発明の概要】
【発明が解決しようとする課題】
【０００５】
成形部材を汎用的に用いて遊技球の流路を形成することについて十分な検討がなされていなかった。
【課題を解決するための手段】
【０００６】
本明細書に開示する技術は、以下の形態として実現できる。
【０００７】
（１）本明細書に開示する一形態における弾球遊技機は、遊技球が流下する盤面を形成する遊技盤と；前記盤面に固定され、前記盤面より前方に突出し、前記盤面を流下する遊技球の流路を形成する流路構造とを備える。この弾球遊技機において、前記流路構造は、前記盤面に直行する２つ以上の平面を形成する凸部をそれぞれ有する複数の流路部材を、一連に組み合わせることによって構成され、前記流路構造によって形成される流路の長さは、前記流路構造を構成する前記流路部材の個数に応じて変更可能である。この形態の弾球遊技機によれば、成形部材を汎用的に用いて、流路部材の個数に応じた所望の長さの流路を形成できる。
【０００８】
（２）上記形態の弾球遊技機において、前記複数の流路部材は、前記流路の端部を形成する第１の流路部材と；前記流路における他の流路部材に挟まれた中間部を形成する第２の流路部材とを含んでもよく、前記流路構造によって形成される流路の長さは、前記流路構造を構成する前記第２の流路部材の個数に応じて変更可能であってもよい。この形態の弾球遊技機によれば、流路の中間部を形成する第２の流路部材の個数に応じて流路の長さを調整できる。
【０００９】
（３）上記形態の弾球遊技機において、前記複数の流路部材は、前記流路構造において隣接する他の流路部材と相互に連結していてもよく、前記流路構造は、前記複数の流路部材における一部の流路部材を介して前記盤面に固定されていてもよい。この形態の弾球遊技機によれば、流路構造を構成する全ての流路部材を盤面に対して個別に固定することなく、流路構造の全体を盤面に固定できる。
【００１０】
（４）上記形態の弾球遊技機において、更に、前記盤面における前記流路構造から離れた位置に固定され、前記流路構造を構成する前記複数の流路部材の１つと同じ形状を成す単体の流路部材を備えてもよい。この形態の弾球遊技機によれば、単体の流路部材を汎用的に用いて遊技球の流路を形成できる。
【００１１】
（５）上記形態の弾球遊技機において、前記複数の流路部材の少なくとも１つは、前記盤面と直行する５つ以上の平面を形成する凸部を有してもよく、前記５つ以上の平面は、相互に異なる大きさであってもよい。この形態の弾球遊技機によれば、複数の流路部材における平面の組み合わせに応じて多様な流路を形成できる。
【００１２】
本明細書に開示する技術は、弾球遊技機とは異なる種々の形態で実現できる。本明細書に開示する技術は、例えば、弾球遊技機としての形態のほか、弾球遊技機の部品、ならびに、弾球遊技機の製造方法などの形態としても実現できる。
【図面の簡単な説明】
【００１３】
【図１】パチンコ機の構成を示す正面図である。
【図２】パチンコ機の構成を示す背面図である。
【図３】パチンコ機の遊技盤を示す正面図である。
【図４】流路構造の構成を示す拡大図である。
【図５】流路構造の構成を示す分解図である。
【図６】流路部材を示す拡大図である。
【図７】流路部材を示す拡大図である。
【図８】流路構造の変形例を示す説明図である。
【図９】流路部材の構成を示す拡大図である。
【図１０】流路部材の構成を示す拡大図である。
【図１１】第４変形例における流路構造を示す正面図である。
【図１２】第５変形例における流路構造を示す正面図である。
【発明を実施するための形態】
【００１４】
Ａ．第１実施形態
図１は、パチンコ機１０の構成を示す正面図である。図２は、パチンコ機１０の構成を示す背面図である。図３は、パチンコ機１０の遊技盤４００を示す正面図である。
【００１５】
パチンコ機１０は、プリペイドカードに対応した弾球遊技機（いわゆる「ＣＲ機」）であり、カードユニット８０に接続されている。カードユニット８０は、プリペイドカードに記録されている情報に基づいて、パチンコ機１０における遊技球の貸し出しを実現する。パチンコ機１０は、外枠１１０と、内枠１２０と、前枠１３０と、ハンドル１４０と、演出ボタン１６０とを備える。
【００１６】
パチンコ機１０の外枠１１０は、縦長の矩形状を成す。外枠１１０は、パチンコ機１０を設置する設備に固定される。外枠１１０は、内枠１２０を開閉可能に支持する一対のヒンジ１１２を備える。
【００１７】
パチンコ機１０の内枠１２０は、外枠１１０の内側に嵌り合う矩形状を成す。内枠１２０は、遊技盤４００をはじめとするパチンコ機１０の各部を保持する。内枠１２０は、前枠１３０を開閉可能に支持する一対のヒンジ１２２を備える。
【００１８】
内枠１２０の正面における前枠１３０の下方には、上皿１２４と、下皿１２６と、鍵穴１２８とが設けられている。上皿１２４は、遊技盤４００へと発射される遊技球を貯留する。下皿１２６は、上皿１２４から溢れた遊技球を貯留する。鍵穴１２８は、鍵による外枠１１０に対する内枠１２０の固定および解除を実施する操作を受け付けるとともに、鍵による内枠１２０に対する前枠１３０の固定および解除を実施する操作を受け付ける。
【００１９】
上皿１２４には、残高表示装置１５２と、球貸スイッチ１５４と、精算スイッチ１５６とが設けられている。残高表示装置１５２は、カードユニット８０に保持されているプリペイドカードの残高を表示する。球貸スイッチ１５４は、カードユニット８０に保持されているプリペイドカードの残高に基づいて遊技球の貸し出しを実行する指示を遊技者から受け付ける。精算スイッチ１５６は、カードユニット８０からプリペイドカードを返却する指示を遊技者から受け付ける。
【００２０】
パチンコ機１０の前枠１３０は、遊技盤４００の正面において開閉可能に構成されている。前枠１３０は、遊技盤４００の正面に位置する透明板１３２を備える。これによって、遊技者は、透明板１３２を介して遊技盤４００を目視可能である。透明板１３２は、ガラスであり、前枠１３０は、ガラス枠とも呼ばれる。前枠１３０の正面には、電飾１３４と、スピーカ１３６とが設けられている。電飾１３４は、遊技の進行に応じて発光する。スピーカ１３６は、遊技の進行に応じて音声を出力する。
【００２１】
パチンコ機１０のハンドル１４０は、遊技球を発射する操作入力を遊技者から受け付ける。ハンドル１４０は、内枠１２０の正面における前枠１３０の右下方に設けられている。
【００２２】
パチンコ機１０の演出ボタン１６０は、演出に対する遊技者の操作入力を受け付ける。演出ボタン１６０は、内枠１２０の正面における上皿１２４に設けられている。
【００２３】
内枠１２０の背面には、遊技球タンク１７２と、払出装置１７４とが設けられている。遊技球タンク１７２は、パチンコ機１０の外部から補給される遊技球を貯留する。払出装置１７４は、遊技球タンク１７２に貯留されている遊技球を上皿１２４に払い出す。
【００２４】
内枠１２０の背面には、更に、主制御装置２１０と、サブ統合制御装置２２０と、演出図柄制御装置２３０と、払出制御装置２４０と、発射制御装置２５０と、外部接続端子板２６５と、電源基盤２９０とが設けられている。これらの制御装置は、ＣＰＵ、ＲＯＭ、ＲＡＭなどを備えるコンピュータであり、コンピュータプログラムに基づいて各種の制御処理を実行する。
【００２５】
主制御装置２１０は、パチンコ機１０における遊技の進行を制御する。サブ統合制御装置２２０は、主制御装置２１０からのコマンドに基づいて、遊技の進行に応じた演出を制御する。演出図柄制御装置２３０は、サブ統合制御装置２２０からのコマンドに基づいて、演出図柄を用いた演出を制御する。払出制御装置２４０は、主制御装置２１０からのコマンドに基づいて、遊技球の払い出しを制御する。発射制御装置２５０は、ハンドル１４０に対する遊技者からの操作入力に基づいて、遊技盤４００への遊技球の発射を制御する。外部接続端子板２６５は、パチンコ機１０における遊技状態を示す信号をパチンコ機１０の外部へと出力する。電源基盤２９０は、パチンコ機１０の各部に電力を供給する。
【００２６】
内枠１２０の裏面には、更に、設定切替スイッチ３０２と、設定変更スイッチ３０４とが設けられている。設定切替スイッチ３０２および設定変更スイッチ３０４は、主制御装置２１０に設けられている。設定切替スイッチ３０２は、パチンコ機１０の遊技特性に関する設定の切替を開始および終了する操作を受け付ける。設定変更スイッチ３０４は、設定切替スイッチ３０２によって設定の切替が有効となっている場合、設定を変更する操作を受け付ける。
【００２７】
パチンコ機１０の遊技盤４００は、パチンコ機１０の正面を向いた板状を成す。遊技盤４００は、ガイドレール４０１，４０２と、導入口４０４と、盤面４０５と、排出口４０８とを備える。ガイドレール４０１，４０２は、盤面４０５を取り囲むとともに、導入口４０４を形成する。導入口４０４は、発射された遊技球を盤面４０５に導入する。導入口４０４は、盤面４０５の左上側に位置する。盤面４０５は、パチンコ機１０の正面を向いた面である。盤面４０５は、遊技球を用いた遊技が実施される遊技領域である。排出口４０８は、盤面４０５から遊技球を排出する。排出口４０８は、盤面４０５の中央下側に位置する。
【００２８】
遊技盤４００は、盤面４０５に設けられた構造として、ゲート４１０と、誘導役物４２０と、入球装置４３０と、誘導役物４４０、一般入賞口４５０と、ゲート４６０と、大入賞口４７０と、大入賞口４８０と、演出図柄表示装置４９０とを備える。
【００２９】
ゲート４１０は、遊技球を通過させることが可能に構成されている。ゲート４１０は、遊技球の入球に応じて他の構成を作動させる始動口として構成できる。誘導役物４２０は、入球した遊技球を複数の方向のいずれかへと誘導する。
【００３０】
入球装置４３０は、入球した遊技球を複数の入球先へと振り分ける。入球装置４３０は、遊技球の入球先の１つとして、始動口４３８を備える。始動口４３８は、遊技球を入球可能に構成されている。始動口４３８への遊技球の入球に応じて、特別図柄を用いた抽選が実行される。
【００３１】
誘導役物４４０は、入球装置４３０において始動口４３８に入球することなく入球装置４３０から排出された遊技球を盤面４０５へと誘導する。一般入賞口４５０は、遊技球を受け入れ可能に構成されている入賞口である。
【００３２】
一般入賞口４５０への遊技球の入球に応じて、所定数の遊技球が払い出される。ゲート４６０は、遊技球を通過させることが可能に構成されている。ゲート４６０は、遊技球の入球に応じて他の構成を作動させる始動口として構成できる。
【００３３】
大入賞口４７０は、特別図柄を用いた抽選結果に応じて遊技球を受け入れ可能となる可変入賞口である。大入賞口４７０への遊技球の入球に応じて、所定数の遊技球が払い出される。大入賞口４８０は、特別図柄を用いた抽選結果に応じて遊技球を受け入れ可能となる可変入賞口である。大入賞口４８０への遊技球の入球に応じて、所定数の遊技球が払い出される。
【００３４】
演出図柄表示装置４９０は、特別図柄の抽選結果に応じた演出図柄を表示する。図３の例では、演出図柄表示装置４９０は、演出図柄として３つの数字を示す図柄を表示している。演出図柄表示装置４９０は、演出の１つとしてキャラクタ（熊の達吉）を表示可能に構成されている。
【００３５】
遊技盤４００は、遊技釘に代えて盤面４０５に設けられた構造として、流路構造５００と、流路部材６１０と、流路部材６２０と、流路部材６３０と、流路部材６４０と、風車６８０と、流路構造６９０とを備える。これらの構造はそれぞれ、盤面４０５に固定され、盤面より前方に突出し、盤面４０５を流下する遊技球の流路を形成する。これらの構造は、所望の取り付け角度で盤面４０５に対して固定可能である。風車６８０は、遊技球との接触によって回転可能に構成されている。流路構造６９０は、一連の流路を一体的に成形した部品である。
【００３６】
図４は、流路構造５００の構成を示す拡大図である。図４（ａ）には、上方から見た流路構造５００が図示されている。図４（ｂ）には、正面から見た流路構造５００が図示されている。図４（ｃ）には、右側方から見た流路構造５００が図示されている。図４（ｄ）には、下方から見た流路構造５００が図示されている。
【００３７】
流路構造５００は、複数の流路部材５１０ａ，５１０ｂ，５２０を一連に組み合わせることによって構成されている。流路構造５００の流路部材５１０ａ，５１０ｂは、流路構造５００によって形成される流路の端部を形成する。流路構造５００の流路部材５２０は、流路構造５００によって形成される流路における他の流路部材に挟まれた中間部を形成する。流路構造５００によって形成される流路の長さは、流路部材５２０の個数に応じて変更可能である。流路構造５００は、１つの流路部材５１０ａと、１つの流路部材５１０ｂと、２つの流路部材５２０とを組み合わせることによって構成されている。なお、流路構造５００によって形成される流路の長さは、流路部材５２０の個数に応じて変更する態様に限らず、異なる長さの流路部材を組み合わせることによって変更する態様であってもよい。これによって、流路部材の個数や流路部材の長さの組合せによって多様な長さの流路を実現できる。
【００３８】
流路構造５００は、凸部５０２と、基部５０４と、固定基部５０６と、貫通孔５０７とを備える。凸部５０２は、盤面４０５より前方に突出し、盤面４０５を流下する遊技球の流路を形成する。基部５０４は、凸部５０２から盤面４０５上に広がる形状を成し、凸部５０２を支持する。固定基部５０６は、凸部５０２から盤面４０５上に広がる形状を成し、凸部５０２を支持する。固定基部５０６には、流路構造５００を盤面４０５に固定するネジ５０８を通す貫通孔５０７が設けられている。固定基部５０６は、流路部材５１０ａ，５１０ｂにそれぞれ設けられている。そのため、流路構造５００は、流路部材５１０ａ，５１０ｂを介して盤面４０５に固定される。流路部材５１０ａ，５１０ｂは、流路構造５００を盤面４０５に固定する機能を有する流路部材固定部である。流路部材５２０は、流路構造５００の長さを調整する流路部材調整部である。
【００３９】
図５は、流路構造５００の構成を示す分解図である。図５（ａ）には、上方から見た流路構造５００の分解構造が図示されている。図５（ｂ）には、正面から見た５００の分解構造が図示されている。流路構造５００における複数の流路部材５１０ａ，５１０ｂ，５２０は、流路構造５００において隣接する他の流路部材と相互に連結している。
【００４０】
流路部材５１０ａ，５１０ｂは、連結突起５１２と、連結孔５１４とを備える。連結突起５１２は、他の流路部材の連結孔に嵌り合う。連結孔５１４は、他の流路部材の連結突起に嵌り合う。流路部材５１０ａは、固定基部５０６側（後方）に連結突起５１２を有し、凸部５０２の突出方向（前方）に連結孔５１４を有する。流路部材５１０ｂは、固定基部５０６側（後方）に連結孔５１４を有し、凸部５０２の突出方向（前方）に連結突起５１２を有する。
【００４１】
流路部材５２０は、連結突起５２２と、連結孔５２４とを備える。連結突起５２２は、他の流路部材の連結孔に嵌り合う。連結孔５２４は、他の流路部材の連結突起に嵌り合う。流路部材５２０は、一方の端部において、基部５０４側（後方）に連結突起５２２を有し、凸部５０２の突出方向（前方）に連結孔５２４を有する。流路部材５２０は、他方の端部において、基部５０４側（後方）に連結孔５２４を有し、凸部５０２の突出方向（前方）に連結突起５２２を有する。
【００４２】
図６は、流路部材５１０ａを示す拡大図である。図６（ａ）には、上方から見た流路部材５１０が図示されている。図６（ｂ）には、正面から見た流路部材５１０ａが図示されている。図６（ｃ）には、右側方から見た流路部材５１０ａが図示されている。流路部材５１０ａの凸部５０２は、２つの平面５１６ａ，５１６ｂを形成する。平面５１６ａ，５１６ｂは、流路部材５１０ａにおける凸部５０２の側面である。平面５１６ａ，５１６ｂは、盤面４０５とほぼ９０度を成す平面である。言い換えると、平面５１６ａ，５１６ｂは、盤面４０５と直行する平面である。流路部材５１０ａは、連結突起５２２および連結孔５２４の配置を除き、流路部材５１０ｂと線対称の形状を成す。
【００４３】
図７は、流路部材５２０を示す拡大図である。図７（ａ）には、上方から見た流路部材５２０が図示されている。図７（ｂ）には、正面から見た流路部材５２０が図示されている。図７（ｃ）には、右側方から見た流路部材５２０が図示されている。流路部材５２０の凸部５０２は、盤面４０５と直行する２つの平面５２６ａ，５２６ｂを形成する。平面５２６ａ，５２６ｂは、流路部材５２０における凸部５０２の側面である。平面５２６ａ，５２６ｂは、凸部５０２を形成する。平面５２６ａ，５２６ｂは、盤面４０５とほぼ９０度を成す平面である。言い換えると、平面５２６ａ，５２６ｂは、盤面４０５と直行する平面である。
【００４４】
図８は、流路構造５００の変形例を示す説明図である。図８（ａ）には、正面から見た第１変形例の流路構造５００ａが図示されている。図８（ｂ）には、正面から見た第２変形例の流路構造５００ｂが図示されている。図８（ｃ）には、正面から見た第３変形例の流路構造５００ｃが図示されている。
【００４５】
流路構造５００ａは、１つの流路部材５１０ａと、１つの流路部材５１０ｂと、４つの流路部材５２０とを組み合わせることによって構成されている。そのため、流路構造５００ａによって形成される流路の長さは、流路構造５００と比較して、２つの流路部材５２０の分だけ長い。
【００４６】
流路構造５００ｂは、１つの流路部材５１０ａと、１つの流路部材５１０ｂと、１つの流路部材５２０とを組み合わせることによって構成されている。そのため、流路構造５００ｂによって形成される流路の長さは、流路構造５００と比較して、１つの流路部材５２０の分だけ短い。
【００４７】
流路構造５００ｃは、１つの流路部材５１０ａと、１つの流路部材５１０ｂとを組み合わせることによって構成されている。そのため、流路構造５００ｃによって形成される流路の長さは、流路構造５００と比較して、２つの流路部材５２０の分だけ短い。
【００４８】
流路部材５１０ａまたは流路部材５１０ｂは、単体で流路構造として構成できる。例えば、連結突起５２２が遊技球に干渉しないように配置することによって、流路部材５１０ａまたは流路部材５１０ｂを単体で流路構造として使用できる。このように、流路構造５００を構成する各流路部材を組み合わせることによって、所望の流路を形成できる。また、特定の遊技機に限らず、他の遊技機にも流路部材を流用できる。また、流路部材５１０ａ，５１０ｂと同様に、流路部材５２０に固定基部を設けることによって、流路部材５２０を単体で盤面４０５に取り付け可能に構成してもよい。これによって、流路部材の汎用性をいっそう向上させることができる。
【００４９】
図９は、流路部材６２０の構成を示す拡大図である。図９（ａ）には、正面から見た流路部材６２０が図示されている。図９（ｂ）には、右側方から見た流路部材６２０が図示されている。
【００５０】
流路部材６２０は、凸部６２２と、貫通孔６２７と、基部６２８とを備える。凸部６２２は、盤面４０５より前方に突出し、盤面４０５を流下する遊技球の流路を形成する。基部６２８は、凸部６２２から盤面４０５上に広がる形状を成し、凸部６２２を支持する。基部６２８には、流路部材６２０を盤面４０５に固定するネジを通す貫通孔６２７が設けられている。流路部材６２０は、２つの基部６２８を備え、２つの基部６２８の各々に１つの貫通孔６２７が設けられている。
【００５１】
流路部材６２０の凸部６２２は、５つの平面６２６ａ，６２６ｂ，６２６ｃ，６２６ｄ，６２６ｅを形成する。５つの平面６２６ａ〜６２６ｅは、相互に異なる大きさである。言い換えると、５つの平面６２６ａ〜６２６ｅは、正面から見た場合、相互に異なる長さである。流路部材６２０は、流路部材６１０と線対称の形状を成す。
【００５２】
図１０は、流路部材６３０の構成を示す拡大図である。図１０（ａ）には、正面から見た流路部材６３０が図示されている。図１０（ｂ）には、右側方から見た流路部材６３０が図示されている。
【００５３】
流路部材６３０は、凸部６３２と、貫通孔６３７と、基部６３８とを備える。凸部６３２は、盤面４０５より前方に突出し、盤面４０５を流下する遊技球の流路を形成する。基部６３８は、凸部６３２から盤面４０５上に広がる形状を成し、凸部６３２を支持する。基部６３８には、流路部材６３０を盤面４０５に固定するネジを通す貫通孔６３７が設けられている。流路部材６３０は、２つの基部６３８を備え、２つの基部６３８の各々に１つの貫通孔６３７が設けられている。
【００５４】
流路部材６３０の凸部６３２は、６つの平面６３６ａ，６３６ｂ，６３６ｃ，６３６ｄ，６３６ｅ，６３６ｆを形成する。６つの平面６３６ａ〜６３６ｆは、相互に異なる大きさである。言い換えると、６つの平面６３６ａ〜６３６ｆは、正面から見た場合、相互に異なる長さである。
【００５５】
図１１は、第４変形例における流路構造６００ａを示す正面図である。流路構造６００ａは、２つの流路部材６２０を異なる取り付け角度で一連に組み合わせることによって構成されている。流路構造６００ａによって形成される流路の長さは、流路構造６００ａを構成する流路部材６２０の個数に応じて変更可能である。盤面４０５における流路構造６００ａから離れた位置には、流路構造６００ａを構成する流路部材６２０とは異なる単独の流路部材６２０が設けられていてもよい。流路構造６００ａによれば、遊技球ＧＢを緩やかに右側に流す流路を形成できる。
【００５６】
図１２は、第５変形例における流路構造６００ｂ，６００ｃを示す正面図である。流路構造６００ｂは、５つの流路部材６３０を同じ取り付け角度で縦方向に一連に組み合わせることによって構成されている。流路構造６００ｃは、５つの流路部材６３０を同じ取り付け角度で縦方向に一連に組み合わせることによって構成されている。流路構造６００ｂは、遊技球ＧＢを流下させることが可能な間隙を置いて流路構造６００ｃから上下にずれた位置に設けられている。盤面４０５における流路構造６００ｂ，６００ｃから離れた位置には、流路構造６００ｂ，６００ｃを構成する流路部材６３０とは異なる単独の流路部材６３０が設けられていてもよい。流路構造６００ｂ，６００ｃによれば、遊技球ＧＢを左右交互に流すことによって遊技球ＧＢの流速を抑制する流路を形成できる。
【００５７】
以上説明した実施形態によれば、流路部材５１０ａ，５１０ｂ，５２０，６１０，６２０，６３０などの成形部材を汎用的に用いて、流路部材の個数に応じた所望の長さの流路を形成できる。また、流路構造５００では、流路構造５００によって形成される流路の中間部を形成する流路部材５２０の個数に応じて流路の長さを調整できる。また、流路構造５００における流路部材５１０ａ，５１０ｂ，５２０は、隣接する他の流路部材と相互に連結しているため、流路構造５００を構成する全ての流路部材を盤面４０５に対して個別に固定することなく、流路部材５１０ａ，５１０ｂを盤面４０５に対して固定することによって流路構造５００の全体を盤面４０５に固定できる。
【００５８】
また、単独の流路部材６１０，６２０，６３０を汎用的に用いて遊技球の流路を形成できる。また、流路部材６１０，６２０，６３０における平面の組合せに応じて多様な流路を形成できる。また、流路部材６１０，６２０，６３０は、遊技釘のように長期の使用による変形の虞がない。また、流路部材６１０，６２０，６３０は、遊技釘であれば多量の数が必要な長さの流路を、比較的に少ない部品点数で形成できる。そのため、流路部材６１０，６２０，６３０によれば、遊技釘と比較して、盤面４０５への組み付け工数、メンテナンスの頻度やコストを抑制できる。
【００５９】
Ｂ．他の実施形態
本明細書に開示する技術は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【００６０】
パチンコ機は、内部に封入された遊技球を循環させて遊技に利用する封入式弾球遊技機（管理遊技機）であってもよい。
【００６１】
盤面４０５の流路構造は、流路部材６１０、流路部材６２０、流路部材６３０および流路部材６４０の少なくとも１種類の流路部材を、流路構造５００と一連に組み合わせた流路構造であってもよい。盤面４０５の流路構造は、異なる流路部材５１０ａ，５１０ｂ，５２０，６１０，６２０，６３０同士を一連に組み合わせることによって構成されてもよい。
【符号の説明】
【００６２】
１０…パチンコ機
８０…カードユニット
１１０…外枠
１１２…ヒンジ
１２０…内枠
１２２…ヒンジ
１２４…上皿
１２６…下皿
１２８…鍵穴
１３０…前枠
１３２…透明板
１３４…電飾
１３６…スピーカ
１４０…ハンドル
１５２…残高表示装置
１５４…球貸スイッチ
１５６…精算スイッチ
１６０…演出ボタン
１７２…遊技球タンク
１７４…払出装置
２１０…主制御装置
２２０…サブ統合制御装置
２３０…演出図柄制御装置
２４０…払出制御装置
２５０…発射制御装置
２６５…外部接続端子板
２９０…電源基盤
３０２…設定切替スイッチ
３０４…設定変更スイッチ
４００…遊技盤
４０１…ガイドレール
４０４…導入口
４０５…盤面
４０８…排出口
４１０…ゲート
４２０…誘導役物
４３０…入球装置
４３８…始動口
４４０…誘導役物
４５０…一般入賞口
４６０…ゲート
４７０…大入賞口
４８０…大入賞口
４９０…演出図柄表示装置
５００，５００ａ，５００ｂ，５００ｃ…流路構造
５０２…凸部
５０４…基部
５０６…固定基部
５０７…貫通孔
５０８…ネジ
５１０ａ，５１０ｂ…流路部材
５１２…連結突起
５１４…連結孔
５１６ａ，５１６ｂ…平面
５２０…流路部材
５２２…連結突起
５２４…連結孔
５２６ａ，５２６ｂ…平面
６００ａ，６００ｂ，６００ｃ…流路構造
６１０…流路部材
６２０…流路部材
６２２…凸部
６２６ａ〜６２６ｅ…平面
６２７…貫通孔
６２８…基部
６３０…流路部材
６３２…凸部
６３６ａ〜６３６ｆ…平面
６３７…貫通孔
６３８…基部
６４０…流路部材
６８０…風車
６９０…流路構造
ＧＢ…遊技球
【図１】
2019092583.tif 000003
【図２】
2019092583.tif 000004
【図３】
2019092583.tif 000005
【図４】
2019092583.tif 000006
【図５】
2019092583.tif 000007
【図６】
2019092583.tif 000008
【図７】
2019092583.tif 000009
【図８】
2019092583.tif 000010
【図９】
2019092583.tif 000011
【図１０】
2019092583.tif 000012
【図１１】
2019092583.tif 000013
【図１２】
2019092583.tif 000014